(57)【特許請求の範囲】
【請求項１】
脈管閉塞装置において、
膨張可能な塞栓形成用の要素、および
前記膨張可能な塞栓形成用の要素の上に配置されていて前記脈管閉塞装置が血管の中に挿入される時に前記塞栓形成用の要素の体液に対する曝露を阻止するための外側バリアを備えており、この外側バリアが非水溶性であると言う特徴を示すが、外部の活性化用の物質がこの外側バリアに供給される時に溶解し、
前記脈管閉塞装置は、更に、前記塞栓形成用の要素を内部に保持し、外部の供給源から供給された前記外部の活性化用の物質が内部を通る配給カテーテルを備え、前記配給カテーテルから配給された前記塞栓形成用の要素が体内に配置されている際に、前記外部の供給源から供給された前記外部の活性化用の物質が、前記配給カテーテルの内部を通って、前記外側バリアに供給されるようになっている脈管閉塞装置。
【請求項２】
前記膨張可能な塞栓形成用の要素が親水性の材料により構成されている請求項１に記載の脈管閉塞装置。
【請求項３】
前記膨張可能な塞栓形成用の要素がヒドロゲルにより構成されている請求項２に記載の脈管閉塞装置。
【請求項４】
前記外側バリアが前記膨張可能な塞栓形成用の要素に対して供給される被膜の形態を採っている請求項３に記載の脈管閉塞装置。
【請求項５】
前記外側バリアがエチレン・ビニル・アルコールにより構成されている請求項４に記載の脈管閉塞装置。
【請求項６】
前記外部の活性化用の物質がジメチル・スルホキシドにより構成されている請求項５に記載の脈管閉塞装置。
【請求項７】
脈管閉塞装置において、
支持部材、
前記支持部材の上に配置されている膨張可能な塞栓形成用の要素、および
前記膨張可能な塞栓形成用の要素の上に配置されていて前記脈管閉塞装置が体内に挿入される時に前記塞栓形成用の要素と体液との間の接触を阻止するための外側バリアを備えており、この外側バリアが血液に対して実質的に不活性であると言う特徴を示すが、外部の物質の存在下にある時に溶解して前記膨張可能な塞栓形成用の要素の一部分を露出させ、
前記脈管閉塞装置は、更に、前記塞栓形成用の要素を内部に保持し、外部の供給源から供給された前記外部の物質が内部を通る配給カテーテルを備え、前記配給カテーテルから配給された前記塞栓形成用の要素が体内に配置されている際に、前記外部の供給源から供給された前記外部の物質が、前記配給カテーテルの内部を通って、前記外側バリアに供給されるようになっている脈管閉塞装置。
【請求項８】
脈管閉塞装置において、
膨張可能な塞栓形成用の要素、および
活性化可能な物質を含む外側バリアを備えており、この外側バリアが前記膨張可能な塞栓形成用の要素を被覆していて体液に対して不活性であり、前記脈管閉塞装置が体内に挿入される時に前記塞栓形成用の要素と体液との間の反応を実質的に阻止して外部の物質による活性化の時に前記塞栓形成用の要素と体液との間の反応を可能にすると言う特徴を示し、
前記脈管閉塞装置は、更に、前記塞栓形成用の要素を内部に保持し、外部の供給源から供給された前記外部の物質が内部を通る配給カテーテルを備え、前記配給カテーテルから配給された前記塞栓形成用の要素が体内に配置されている際に、前記外部の供給源から供給された前記外部の物質が、前記配給カテーテルの内部を通って、前記外側バリアに供給されるようになっている脈管閉塞装置。
【請求項９】
脈管閉塞装置において、
体内に配置されて体液に対して曝露される時に拡張する生体活性な支持部材、および
前記脈管閉塞装置が体内に挿入される時に前記生体活性な支持部材と体液との間の反応を阻止するためのバリアを備えており、このバリアが血液に対して不活性であると言う特徴を示すが、活性化用の物質がこのバリアに供給される時に前記生体活性な支持部材を体液に対して露出させると言う特徴を示し、
前記脈管閉塞装置は、更に、前記生体活性な支持部材を内部に保持し、外部の供給源から供給された前記活性化用の物質が内部を通る配給カテーテルを備え、前記配給カテーテルから配給された前記生体活性な支持部材が体内に配置されている際に、前記外部の供給源から供給された前記活性化用の物質が、前記配給カテーテルの内部を通って、前記バリアに供給されるようになっている脈管閉塞装置。
【請求項１０】
医療装置において、
支持部材、
前記支持部材の上に配置されている膨張可能な塞栓形成用の要素、および
前記膨張可能な塞栓形成用の要素の上に配置されていて前記医療装置が血管の中に挿入される時に前記塞栓形成用の要素の体液に対する曝露を阻止するための外側バリアを備えており、この外側バリアが体液に対して実質的に不活性であるが、外部の物質に対して曝される時に溶解すると言う特徴を示し、
前記医療装置は、更に、前記塞栓形成用の要素を内部に保持し、外部の供給源から供給された前記外部の物質が内部を通る配給カテーテルを備え、前記配給カテーテルから配給された前記塞栓形成用の要素が体内に配置されている際に、前記外部の供給源から供給された前記外部の物質が、前記配給カテーテルの内部を通って、前記外側バリアに供給されるようになっている医療装置。
【発明の詳細な説明】
【技術分野】
【０００１】
関連出願に対するクロス−リファレンス
本特許出願は「アクティベイタブル・バイオアクテイブ・インプランタブル・メディカル・デバイス・アンド・メソッド・オブ・ユース（Activatable Bioactive Implantable Medical Device And Method Of Use）」を発明の名称とする２００３年１２月１７日に出願されている米国特許出願第１０／７３８，４７７号の一部継続出願である。
【０００２】
本発明は医療用の移植可能な装置に関連しており、特に、一定の脈管閉塞装置等のような一定の医療装置に関連しており、この医療装置は当該装置に配置されている一定の生体活性な被膜を含み、この被膜は体内組織に対して反応して、例えば、一定の脈管または一定の動脈瘤を閉塞するために当該活性な被膜を膨張または拡張する等のような一定の所望の結果を助長するために作用する。
【背景技術】
【０００３】
多年にわたり、種々の脈管閉塞装置等のような医療装置が脈管の中を通る血流を閉塞または部分的に閉塞するために人体の脈管の中に配置されてきた。加えて、これらの装置は動脈瘤のさらなる増殖または拡張を阻止するためにその動脈瘤の内部に加えられる圧力を減少するようにその動脈瘤を充たすか部分的に充たすためにその動脈瘤の中に導入されてきた。これらの装置は一定の螺旋状のコイル等のような一定のコイルの形態を採ることができ、一般的に一定の配給カテーテルの使用により脈管または動脈瘤の中に配置され、この配給カテーテルは脈管の中に挿入されてその配給カテーテルの先端部が一定の配置のために選択された部位の近くになるように位置決めされる。このような閉塞装置が一定の血管または動脈瘤の中に配置されると、その周囲の組織がその「異物（foreign object）」に対して反応して、その装置の中および周囲に増殖することによりその血管のさらに完全な閉塞が行なわれる。
【０００４】
上記のような配給カテーテルの例が「メソッド・アンド・アパレイタス・フォー・プレイスメント・オブ・アン・エンボリック・コイル（Method And Apparatus For Placement Of An Embolic Coil）」を発明の名称とする米国特許第５，１０８，４０７号および「エンドバスキュラー・エレクトロリティカリー・ディタッチャブル・ガイドワイヤ・ティップ・フォー・ジ・エレクトロフォーメーション・オブ・トロンバス・イン・アーテリーズ，ベインズ，アニュ−リズムズ・バスキュラー・マルフォーメーションズ・アンド・アーテリオビーナス・フィスチュラズ（Endovascular Electrolytically Detachable Guidewire Tip For The Electroformation Of Thrombus In Arteries, Veins, Aneurysms, Vascular Malformations And Arteriovenous Fistulas）」を発明の名称とする米国特許第５，１２２，１３６号において開示されている。これらの特許は種々の動脈瘤を治療するために、あるいは、所定の場所における一定の血管を閉塞するために人体の種々の血管の中における所定の位置に対して種々の塞栓コイルを配給するためのカテーテル・システムを開示している。
【０００５】
種々のコイルの形態を採る閉塞装置は螺旋状に巻かれているコイル、不規則に巻かれているコイル、コイルの中に巻かれているコイルまたはその他の類似のコイルの形態にすることができる。種々のコイルの形態の例が「バスキュラー・オクルージョン・アセンブリー（Vascular Occlusion Assembly）」を発明の名称とする米国特許第５，３３４，２１０号および「バソオクルージョン・コイル・ウィズ・アタッチド・チューブラー・ウーブン・オア・ブレイデッド・フィブラス・カバリング（Vasoocclusion Coil With Attached Tubular Woven Or Braided Fibrous Covering）」を発明の名称とする米国特許第５，３８２，２５９号において開示されている。これらのコイルは一般にプラチナ、金、タングステンまたはこれらの金属の合金等のような種々の放射線不透過性の金属材料により形成されている。多くの場合に、一定の脈管または動脈瘤の中の血流をさらに完全に閉塞するか部分的に閉塞するために、幾つかのコイルがその脈管の中またはその動脈瘤の中の所定の場所に配置される。さらに、これらのコイルにおける血栓の成長はそれらのコイルの閉塞作用をさらに高める。
【０００６】
これまでに、幾つかの塞栓コイルが一定の配給カテーテルの先端部の中に配置されて、このカテーテルの先端部が適当に位置決めされた後に、上記コイルを、例えば、一定のガイドワイヤ等により上記カテーテルの先端部から押し出すことが可能になり、これにより、そのコイルが所望の場所に放出される。このような塞栓コイルの配置の処置はそのコイルの移動がモニター可能になり、そのコイルが一定の所望の場所に配置可能になるようにＸ線透視による可視化により行なわれる。
【０００７】
加えて、上記のコイルは「ストレッチ・レジスタント・バソ−オクルージブ・コイルズ（ＩＩ）（Stretch Resistant Vaso-Occlusive Coils (II)）」を発明の名称とする米国特許第５，８５３，４１８号において開示されている脈管閉塞コイル等のような耐伸縮性になるように特定的に設計されており、この特許文献はコイルの伸縮を阻止するためにそのコイルの内孔部の中に延在していてそのコイルの両端部に固定して取り付けられている一定の高分子の耐伸縮性の部材を有する一定の螺旋状に巻かれているコイルを開示している。
【０００８】
一定の塞栓コイルにおけるトロンボゲン形成性を高めるために、上記のコイルはそのコイルの表面に供給されているコラーゲン等のような一定の被膜を含んでいる。このような概念が「エンボリック・エレメンツ・アンド・メソッヅ・アンド・アパレイタス・フォー・ゼア・デリバリー（Embolic Elements And Methods And Apparatus For Their Delivery）」を発明の名称とする米国特許第５，６９０，６７１号において開示されており、この特許文献は上記のようなコラーゲンにより被覆されている塞栓コイルを開示している。
【０００９】
加えて、「ウォーター・ソルブル・コーティング・フォー・バイオアクティブ・バソオクルージブ・デバイスイズ（Water-Soluble Coating For Bioactive Vasoocclusive Devices）」を発明の名称とする米国特許第５，９８０，５５０号は一定のトロンボゲン形成性の物質として作用する一定の内側の被膜および一定の水溶性の物質の一定の外側の被膜を有する一定の塞栓コイルを開示しており、この外側の被膜は上記コイルの配置後に溶解して上記トロンボゲン形成性の内側の被膜を露出させることにより上記コイルの一定の周囲内における血栓の成長を増進する。
【００１０】
上記水溶性の被膜は血液との接触により当該水溶性の被膜が溶解するまで上記トロンボゲン形成性の内側の被膜がその周囲の血液に対して接触することを防ぐ。上記特許において開示されている脈管閉塞装置はこの装置のトロンボゲン形成性を高めるための一定の物質を含み、さらに、外側の被膜が血流により溶けるまで上記の活性を抑制するための一定の外側の被膜も含むが、その溶解の過程が開始する時間に関して全く制御されておらず、それゆえ、上記トロンボゲン形成性の物質が活性化される時間に関して全く制御されていない。すなわち、上記のような制御が無ければ、一定の脈管または動脈瘤の中にコイルが適当に配置される時よりも前にそのコイルに血栓が形成し始めることが可能になり、それゆえ、その不適当に配置されたコイルを位置直しまたは除去することが不可能でないにしても極めて困難になる。加えて、上記のような水溶性の保護用の被膜があるために、その外側被膜を除去する受動的な過程の速度が遅くなり、その反応が一定の時宜を得た様式で行なわれなくなる可能性がある。
【特許文献１】米国特許第５，１０８，４０７号明細書
【特許文献２】米国特許第５，１２２，１３６号明細書
【特許文献３】米国特許第５，３３４，２１０号明細書
【特許文献４】米国特許第５，３８２，２５９号明細書
【特許文献５】米国特許第５，８５３，４１８号明細書
【特許文献６】米国特許第５，９８０，５５０号明細書
【特許文献７】米国特許第６，６０２，２６１号明細書
【発明の開示】
【発明が解決しようとする課題】
【００１１】
さらに、「フィラメンタス・エンボリック・デバイス・ウィズ・エクスパンジブル・エレメンツ（Filamentous Embolic Device With Expansible Elements）」を発明の名称とする米国特許第６，６０２，２６１号は一定のフィラメント、またはコイルに沿って配置されている塞栓形成用の要素を有する一定の塞栓コイルを開示しており、これらの要素はヒドロゲル発泡体等のような一定の親水性で高分子のヒドロゲル発泡体材料により構成されている。この塞栓コイルの一定の動脈瘤の中への移植後に、上記の水膨潤性の発泡体が膨張し始めてその動脈瘤をさらに完全に充填する。この塞栓コイルにおける膨張性の塞栓形成用の各要素は膨張時において一定の動脈瘤を比較的に完全に充填するように作用するが、この場合においてもこれらの膨張性の要素の膨張し始める時間に関する制御が全く無い。このような膨張の時間に関する制御が無ければ、これらの塞栓コイルは一定の動脈瘤の中に適当に配置される前に膨張し始める可能性があり、あるいは、その多数個のコイルの一定の動脈瘤内への配置の前に膨張する可能性があり、これにより、その動脈瘤の中に多数個のコイルを適当に配置することが極めて困難になる。さらに、このような塞栓形成用の各要素の膨張が生じた後に、これらのコイルを位置直しすることが極めて困難になり、不可能になる可能性もある。
【課題を解決するための手段】
【００１２】
本発明の一例の態様によれば、一定の脈管閉塞コイル等のような、一定の医療装置が提供されており、この医療装置は一定の螺旋状のコイルの形態を採ることができる一定の支持部材、この支持部材の上に配置されている一定の生体活性で膨張性の被膜、およびこの膨張性の被膜の上に配置されていて上記医療装置が一定の血管または一定の動脈瘤の中に挿入される時にその膨張性の被膜と一定の体液との間の接触を防ぐための一定の外側のバリアを含む。好ましくは、上記膨張性の被膜はヒドロゲル等のような一定の親水性で高分子の材料の形態を採っている。また、上記外側バリアは体液に対して不活性であると言う特徴を示すが、一定の外部の物質に曝される時に溶解する。さらに、この外部の物質は上記の血管または動脈瘤の中に一定のカテーテルの中を通して注入可能である一定の液体の媒体の形態を採ることができる。
【００１３】
本発明の別の態様によれば、上記の膨張性で生体活性な被膜は一定の親水性の材料の一定の被膜の形態を採り、この被膜は上記支持部材に供給されて、血液等のような、種々の体液との接触時に膨張して、上記医療装置の塞栓性の効果を高めるために作用する。さらに、上記膨張性の被膜は好ましくはヒドロゲル等のような一定の親水性で高分子の材料の形態を採っている。また、上記外側バリアは上記膨張性の被膜に対して供給される一定の外側の被膜の形態を採り、この外側バリアが一定の外部の物質に対して曝される時まで一定の体液が上記膨張性の被膜に対して反応することを防ぐ。さらに、この外部の物質は一定の溶媒の形態を採ることができ、この溶媒は体外の一定の供給源から一定のカテーテルの中を通して上記外側バリアに供給される時にその外側バリアを溶かして上記膨張性の被膜から除去する。
【００１４】
本発明のさらに別の態様によれば、一定の脈管閉塞装置等のような、一定の医療装置が提供されており、この医療装置は一定の膨張性の要素および当該膨張性の要素に供給されている一定の外側バリアを含み、この外側バリアは一定の外部の物質がこの外側バリアに供給されてこの外側バリアが溶けて上記膨張性の要素から除去される時まで一定の体液と膨張性の要素との間の一定の反応を阻止する。
【００１５】
本発明のさらに別の態様によれば、脈管の病気を治療するための一定の方法が提供されており、この方法は一定の脈管閉塞装置を挿入する工程を含み、この医療装置が一定の支持部材、当該支持部材の上に配置されている一定の生体活性で膨張性の被膜、および当該膨張性の被膜の上に配置されている一定の外側バリアを含み、この外側バリアがこの外側バリアに一定の外部の物質が供給される時に上記膨張性の被膜の少なくとも一部分を露出させるために溶解すると言う特徴を示す。上記方法はまた一定の血管または一定の動脈瘤の中に上記脈管閉塞装置を挿入する工程、および、放出時に、一定の外部の物質を一定のカテーテルの中を通して上記外側バリアに供給することによりその外側バリアを溶かして上記膨張性の被膜の少なくとも一部分、またはその全部を露出させることにより、その膨張性の被膜が種々の体液に対して反応して膨張することにより上記の血管または動脈瘤を部分的に、あるいは、完全に、充填することを可能にする工程を含む。
【００１６】
本発明のさらに別の態様によれば、上記方法は一定の医療装置を供給する工程を含み、この医療装置は一定の外側バリアにより被覆されている一定の生体活性で膨張性の要素を有しており、この外側バリアは一定の外部の物質がこの外側バリアに供給される時に上記膨張性の要素の少なくとも一部分を露出させるために溶けると言う特徴を示す。上記方法はまた一定の血管の中に上記医療装置を挿入する工程、および放出時に、一定の外部の物質を上記外側バリアに供給することによりこの外側バリアを溶かして上記膨張性の要素の少なくとも一部分を露出させる工程を含む。
【発明の効果】
【００１７】
従って、本発明によれば、一定の脈管の病気を治療するための改善された医療装置、および当該医療装置の作用効果を高めるための一定の生体活性で膨張性の被膜が提供できる。
【発明を実施するための最良の形態】
【００１８】
図１および図２は一定の血管または一定の動脈瘤の中に別の類似のコイルと共に配置されてその動脈瘤を部分的に充填することができる一定の塞栓コイル１０等のような一定の医療装置の好ましい実施形態を示している。特に、上記塞栓コイル１０、または脈管閉塞コイルは一定の典型的な塞栓コイルであり、この塞栓コイルは一定の螺旋形の形態に巻かれている一定のプラチナ合金ワイヤにより形成されている一定の螺旋状に巻かれたコイル１２を含む。上記ワイヤの直径は一般に約０．０００７インチ（０．００１８ｃｍ）乃至約０．００８インチ（０．０２０ｃｍ）の範囲内であり、上記コイル１２の外径は好ましくは約０．００３インチ（０．００８ｃｍ）乃至約０．０５５インチ（０．１４０ｃｍ）の範囲内である。なお、図１および図２において示されている特定の塞栓コイル１０は一定の直線状で螺旋状に巻かれているコイルとして示されているが、これらの塞栓コイルが種々の形態で形成されて一定の螺旋形の形態に巻かれている螺旋状のワイヤ、不規則な形状の形態または一定のコイルの中におけるコイルの形態を採り得ることが当然に認識されると考える。
【００１９】
好ましくは、上記の塞栓コイル１０は当該塞栓コイル１０に一定の外傷性の少ない先端部を備えるためにそのコイルの先端部に取り付けられている一定の溶接したビーズ１４を含む。加えて、上記塞栓コイル１０は一定の円筒形のヘッドピース１６を含み、このヘッドピース１６は螺旋形に巻かれたコイル１２の基端部においてこのコイル１２の内孔部の中に配置されていて当該ヘッドピース１６とその螺旋形に巻かれているコイル１２との間に挟まれている一定の接着剤１８によりその位置が保持されている。なお、上記塞栓コイル１０および当該塞栓コイルを一定の動脈瘤の中に配置するための一定の付随的な液圧式の配備システムの構成が本発明と同一の譲受人に譲渡されていて本明細書に参考文献として含まれる２００２年３月１９日に出願されている「スモール・ダイメター・エンボリック・コイル・ハイドロウリック・デプロイメント・システム（Small Diameter Embolic Coil Hydraulic Deployment System）」を発明の名称とする米国特許出願第１０／１０２，１５４号においてさらに詳細に説明されている。
【００２０】
図２は上記塞栓コイル１０をさらに詳細に示しており、この塞栓コイル１０は上記の螺旋形に巻かれているコイル１２、当該コイル１２の上に配置されている一定の生体活性で膨張性の被膜２０、および当該生体活性な被膜２０の上に配置されていて一定の放出がこの被膜を活性化するために行なわれる時までその膨張性の被膜の活性化を防止するための一定の外側のバリア２２を含む。特に、上記の膨張性の被膜２０は種々の体液に曝される時に膨張する一定のヒドロゲルまたはヒドロゲル発泡体材料等のような一定の親水性で高分子の材料の形態を採ることができる。この膨張性の被膜は一定の親水性の材料の形態を採り得るが、種々の体液またはその他の物質に対して反応する時に膨張すると考えられる任意の材料の任意の形態を採り得ることが当然に理解されると考える。
【００２１】
上記の外側バリア２２は一定の被膜の形態を採り、この被膜は上記生体活性で膨張性の被膜２０の上に配置されていて、一定の外部の物質をこのバリアに供給することにより当該外側バリア２２を活性化する一定の決定が一定の医者により行なわれる時まで、隣接している体液から上記の膨張性の被膜を隔離するために作用する。また、上記外側バリア２２は一定の材料の形態を採り、この材料は体液に対して不活性であるが、当該外側バリア２２が一定の外部の物質に曝される時に溶解して上記膨張性の被膜２０を露出させる。
【００２２】
一定の好ましい実施形態において、上記外側バリア２２はエチレン・ビニル・アルコールにより構成されており、この外側バリア２２を溶解するための上記外部の物質はジメチル・スルホキシド（ＤＭＳＯ）により構成されており、このジメチル・スルホキシドは一定の外部の供給源から一定のカテーテルの中を通して供給される時に上記外側バリア２２を溶解して上記膨張性の被膜２０を露出させるために役立つ。また、この膨張性の被膜２０は一定の親水性のヒドロゲルまたはヒドロゲル発泡体材料により構成されており、特に、「スーパー・アブソーベント・ヒドロゲル・フォームズ（Super Absorbent Hydrogel Foams）」を発明の名称とする米国特許第５，７５０，５８５号において開示されている種類の一定の水膨張性の発泡体基質ポリマーにより構成されており、上記の特許文献は本明細書に参考文献として含まれる。また、一定の膨張性の要素の被膜、一定の外側バリアおよび当該外側バリアを溶解または除去するための一定の物質として作用すると考えられる多数の材料が存在することが当然に認識されると考える。
【００２３】
図３は一定の動脈瘤の中に配置された後の、さらに、上記外側バリア２２が溶解して上記膨張性の被膜２０が血液等のような体液に曝された後の塞栓コイル１０を比較的に詳細に示している。注目されると考えられるように、この膨張性の被膜２０は実質的に膨張することにより上記塞栓コイル１０に一定の血管または一定の動脈瘤を比較的に完全に充填させる。一方、上記外側バリアは種々の体液または血液に対して不活性であり、従って、水溶性ではなく、上記外部の物質または溶媒が体外の一定の供給源から一定のカテーテルの中を通して供給されることにより、上記外側バリア２２を溶解または除去して膨張性の被膜２０を活性化する。
【００２４】
図４Ａ乃至図４Ｃは本発明を利用している一定の方法を概略的に示している。特に、図４Ａは一定の動脈瘤２６の中に配給するためにカテーテルの先端部の中に配置されている一定の塞栓コイル１０を含む一定の配給カテーテル２４を示している。また、図４Ｂは動脈瘤２６の中に一定の最終の塞栓コイル２８を含む多数個の脈管閉塞コイルを位置決めするために用いられている配給カテーテル２４を示している。さらに、図４Ｃは一定の外部の物質３０の供給を示しており、この物質３０は体外の一定の供給源から一定のカテーテルの中を通して外側バリア２２を溶解することにより上記膨張性の被膜２０を活性化するための一定の溶媒の形態を採ることができる。さらに、この膨張性の被膜２０はそれぞれの膨張または拡張した形態で示されている。
【００２５】
上記外部の物質３０を供給する前に動脈瘤２６の中に全ての脈管閉塞コイルを配置することが望ましいと考えられるが、全てのコイルが一定の動脈瘤の中に適当に配置されるまで単一のコイルをその動脈瘤の中に配置した後にこの単一のコイルを活性化し、第２のコイルをその動脈瘤の中に配置した後にその第２のコイルを活性化する等のような別の手法も存在する。当然に認識されると考えられるように、本発明の従来の装置に優る利点は一定の血管または一定の動脈瘤を「充填（filling）」する処理中において、一定の医者が放出して上記１個以上のコイルを活性化して膨張または拡張する時間をその医者が決定できることである。
【００２６】
以上において本発明の一定の好ましい実施形態が説明されているが、種々の変更が以下の特許請求の範囲から逸脱することなく当該技術分野における熟練者により行なうことが可能になることが当然に理解されると考える。
【産業上の利用可能性】
【００２７】
本発明は、一定の脈管閉塞装置等のような、一定の医療装置に適用可能であり、この医療装置は一定の螺旋状のコイルの形態を採ることができる一定の支持部材、この支持部材の上に配置されている一定の生体活性で膨張性の被膜、およびこの膨張性の被膜の上に配置されていて上記医療装置が一定の血管または一定の動脈瘤の中に挿入される時にその膨張性の被膜と一定の体液との間の接触を防ぐための一定の外側のバリアを含む。好ましくは、上記膨張性の被膜はヒドロゲル等のような一定の親水性で高分子の材料の形態を採っている。また、上記外側バリアは体液に対して不活性であると言う特徴を示すが、一定の外部の物質に曝される時に溶解する。さらに、この外部の物質は上記の血管または動脈瘤の中に一定のカテーテルの中を通して注入可能である一定の液体の媒体の形態を採ることができる。
【００２８】
本発明の具体的な実施態様は以下のとおりである。
（１）脈管閉塞装置において、
一定の膨張可能な塞栓形成用の要素、および
前記膨張可能な塞栓形成用の要素の上に配置されていて前記脈管閉塞装置が一定の血管の中に挿入される時に前記塞栓形成用の要素の体液に対する曝露を阻止するための一定の外側バリアを備えており、この外側バリアが非水溶性であると言う特徴を示すが、一定の外部の活性化用の物質がこの外側バリアに供給される時に溶解する脈管閉塞装置。
（２）前記膨張可能な塞栓形成用の要素が一定の親水性の材料により構成されている実施態様（１）に記載の脈管閉塞装置。
（３）前記膨張可能な塞栓形成用の要素がヒドロゲルにより構成されている実施態様（２）に記載の脈管閉塞装置。
（４）前記外側バリアが前記膨張可能な塞栓形成用の要素に対して供給される一定の被膜の形態を採っている実施態様（３）に記載の脈管閉塞装置。
（５）前記外側バリアがエチレン・ビニル・アルコールにより構成されている実施態様（４）に記載の脈管閉塞装置。
【００２９】
（６）前記外部の活性化用の物質がジメチル・スルホキシドにより構成されている実施態様（５）に記載の脈管閉塞装置。
（７）脈管閉塞装置において、
一定の支持部材、
前記支持部材の上に配置されている一定の膨張可能な塞栓形成用の要素、および
前記膨張可能な塞栓形成用の要素の上に配置されていて前記脈管閉塞装置が体内に挿入される時に前記塞栓形成用の要素と体液との間の接触を阻止するための一定の外側バリアを備えており、この外側バリアが血液に対して実質的に不活性であると言う特徴を示すが、一定の外部の物質の存在下にある時に溶解して前記膨張可能な塞栓形成用の要素の一部分を露出させる脈管閉塞装置。
（８）前記膨張可能な塞栓形成用の要素が一定の親水性の材料により構成されている実施態様（７）に記載の脈管閉塞装置。
（９）前記膨張可能な塞栓形成用の要素がヒドロゲルにより構成されている実施態様（８）に記載の脈管閉塞装置。
（１０）前記外側バリアがエチレン・ビニル・アルコールにより構成されている実施態様（９）に記載の脈管閉塞装置。
【００３０】
（１１）脈管閉塞装置において、
一定の膨張可能な塞栓形成用の要素、および
一定の活性化可能な物質を含む一定の外側バリアを備えており、この外側バリアが前記膨張可能な塞栓形成用の要素を被覆していて体液に対して不活性であり、前記脈管閉塞装置が体内に挿入される時に前記塞栓形成用の要素と体液との間の一定の反応を実質的に阻止して一定の外部の物質による活性化の時に前記塞栓形成用の要素と体液との間の一定の反応を可能にすると言う特徴を示す脈管閉塞装置。
（１２）前記膨張可能な塞栓形成用の要素が一定の親水性の材料により構成されている実施態様（１１）に記載の脈管閉塞装置。
（１３）前記膨張可能な塞栓形成用の要素がヒドロゲルにより構成されている実施態様（１２）に記載の脈管閉塞装置。
（１４）前記外側バリアがエチレン・ビニル・アルコールにより構成されている実施態様（１３）に記載の脈管閉塞装置。
（１５）脈管閉塞装置において、
体内に配置されて体液に対して曝露される時に拡張する一定の生体活性な支持部材、および
前記脈管閉塞装置が体内に挿入される時に前記生体活性な支持部材と体液との間の一定の反応を阻止するための一定のバリアを備えており、このバリアが血液に対して不活性であると言う特徴を示すが、一定の活性化用の物質がこのバリアに供給される時に前記生体活性な支持部材を体液に対して露出させると言う特徴を示す脈管閉塞装置。
【００３１】
（１６）前記生体活性な支持部材が一定の親水性の材料により構成されている実施態様（１５）に記載の脈管閉塞装置。
（１７）前記生体活性な支持部材がヒドロゲルにより構成されている実施態様（１６）に記載の脈管閉塞装置。
（１８）前記バリアがエチレン・ビニル・アルコールにより構成されている実施態様（１７）に記載の脈管閉塞装置。
（１９）医療装置において、
一定の支持部材、
前記支持部材の上に配置されている一定の膨張可能な塞栓形成用の要素、および
前記膨張可能な塞栓形成用の要素の上に配置されていて前記医療装置が一定の血管の中に挿入される時に前記塞栓形成用の要素の体液に対する曝露を阻止するための一定の外側バリアを備えており、この外側バリアが体液に対して実質的に不活性であるが、一定の外部の物質に対して曝される時に溶解すると言う特徴を示す医療装置。
（２０）前記膨張可能な塞栓形成用の要素が前記支持部材に供給される一定の被膜の形態を採っている実施態様（１９）に記載の医療装置。
【００３２】
（２１）前記膨張可能な塞栓形成用の要素が一定の親水性の材料により構成されている実施態様（２０）に記載の医療装置。
（２２）前記膨張可能な塞栓形成用の要素が一定のヒドロゲル材料により構成されている実施態様（２１）に記載の医療装置。
（２３）前記外側バリアが前記膨張可能な塞栓形成用の要素に供給される一定の被膜の形態を採っている実施態様（２２）に記載の医療装置。
（２４）前記外側バリアがエチレン・ビニル・アルコールにより構成されている実施態様（２３）に記載の医療装置。
（２５）前記外部の物質がジメチル・スルホキシドにより構成されている実施態様（２４）に記載の医療装置。
【００３３】
（２６）治療方法において、
一定の支持部材、当該支持部材の上に配置されている一定の生体活性で膨張可能な被膜、および一定の外側バリアを備えている一定の脈管閉塞装置を供給する工程を含み、前記外側バリアが前記膨張可能な被膜と体液との間の一定の反応を通常において阻止して、一定の外部の物質がそのバリアに供給される時に前記膨張可能な被膜を露出させると言う特徴を示し、さらに
一定の配給カテーテルを一定の血管の中に挿入する工程、
前記配給カテーテルの先端部分が前記血管の中における一定の選択された部位に近づくまでその配給カテーテルの先端部分をその血管の中を通して進行させる工程、
前記脈管閉塞装置を前記配給カテーテルと共に前記選択された部位に配給する工程、および
前記外部の物質を前記配給カテーテルの中を通して前記血管の中に供給することにより前記外側バリアを活性化して、前記生体活性で膨張可能な被膜を体液に対して露出させることによりその膨張可能な被膜と体液との間の一定の反応を生じて、さらに、その膨張可能な被膜を前記血管の中において膨張させる工程を含む方法。
（２７）治療方法において、
体液に対して反応する一定の膨張可能な塞栓形成用の支持部材を備えていてこの膨張可能な支持部材と体液との間の一定の反応を通常において阻止すると言う特徴を示す一定の外側バリアを有している一定の脈管閉塞装置を供給する工程、
一定の配給カテーテルを一定の血管の中に挿入する工程、
前記配給カテーテルの先端部分が一定の動脈瘤の近くにおける一定の選択された部位に近づくまでその配給カテーテルの先端部分をその血管の中を通して進行させる工程、
前記脈管閉塞装置を前記配給カテーテルと共に前記選択された部位に配給する工程、および
一定の外部の物質を前記配給カテーテルの中を通して前記選択された部位に供給することにより前記外側バリアを活性化して、前記膨張可能な支持部材を体液に対して露出させることによりその膨張可能な支持部材と体液との間の一定の反応を生じて、その膨張可能な支持部材を膨張させる工程を含む方法。
【図面の簡単な説明】
【００３４】
【図１】本発明の一例の実施形態による一定の脈管閉塞コイルの形態における一定の医療装置を示している正面図である。
【図２】図１において示されているような脈管閉塞コイルを示している部分的に断面になっている正面図であり、本発明のこの実施形態による一定の生体活性で膨張性の被膜および一定の外側バリア被膜を示している。
【図３】外側バリア被膜が除去されていて、膨張性の被膜が体液と反応して既に膨張した後の図２において示されているような脈管閉塞コイルを示している部分的に断面になっている正面図である。
【図４Ａ】一定の動脈瘤の中に図１において示されているような多数個の脈管閉塞コイルを供給した後に一定の外部の物質を供給することによりそれぞれの塞栓コイルを活性化する方法の各工程を示している。
【図４Ｂ】一定の動脈瘤の中に図１において示されているような多数個の脈管閉塞コイルを供給した後に一定の外部の物質を供給することによりそれぞれの塞栓コイルを活性化する方法の各工程を示している。
【図４Ｃ】一定の動脈瘤の中に図１において示されているような多数個の脈管閉塞コイルを供給した後に一定の外部の物質を供給することによりそれぞれの塞栓コイルを活性化する方法の各工程を示している。
【符号の説明】
【００３５】
１０  塞栓コイル
１２  コイル
１４  ビーズ
１６  ヘッドピース
１８  接着剤
２０  生体活性な物質
２２  外側バリア
２４  配給カテーテル
２６  動脈瘤
２８  塞栓コイル
３０  外部の物質
【図１】
0004744863.tif 000002
【図２】
0004744863.tif 000003
【図３】
0004744863.tif 000004
【図４Ａ】
0004744863.tif 000005
【図４Ｂ】
0004744863.tif 000006
【図４Ｃ】
0004744863.tif 000007